(57)【特許請求の範囲】
【請求項１】
座に形成した孔を貫通する座支持軸を左右１対の脚に水平に支持し、前記座を起立力付与弾性体によって着座位置から自動起立位置に自動的に起立させる椅子の座の起立回転装置において、
前記孔を前記座が前記着座位置にあるとき長径が上下方向を向く長孔とし、かつ前記座と前記脚との間に、前記座と当接することにより、前記座を前記着座位置と前記自動起立位置とに位置決めするストッパー機構を設けるとともに、前記座に前記座支持軸を押圧して前記長孔の上縁を前記座支持軸に圧接させる軸押圧弾性体を設け、
着座している人が前記座を立ったとき、前記軸押圧弾性体によって前記長孔の上縁を前記座支持軸に圧接させたまま、前記起立力付与弾性体によって前記座を起立させ、前記ストッパー機構によって前記自動起立位置に位置決めし、
前記座が前記自動起立位置よりさらに後方に押圧されたとき、前記ストッパー機構を支点にして前記座支持軸が前記長孔内を移動することにより、完全起立位置への後傾を許容することを特徴とする椅子の座の起立回転装置。
【請求項２】
起立力付与弾性体が、座支持軸に遊嵌したコイルばねであり、該コイルばねの一端が座支持軸に固着され、他端が座に起立させる方向に弾圧している請求項１記載の椅子の座の起立回転装置。
【請求項３】
軸押圧弾性体が、片持ち梁状の板ばねである請求項１または２記載の椅子の座の起立回転装置。
【請求項４】
座が、下側に起立力付与弾性体と軸押圧弾性体とを収容する凹部を有し、該凹部が、長孔を有する板状の座支持体によって塞がれている請求項１〜３のいずれかに記載の椅子の座の起立回転装置。
【発明の詳細な説明】
【０００１】
【発明の属する技術分野】
本発明は、劇場、スタジアム等の客席に前後左右に並べられた椅子同士の前後間の狭い空間を人が歩くとき、椅子の座が邪魔にならないように、座を自動的に起立させるようにした起立回転装置に関する。
【０００２】
【従来の技術】
実公平２−４６７５９号公報に開示されている座の起立回転装置では、座に設けた係止片に固着された弾性体と、脚フレーム部に設けられたストッパー片に固着された弾性体とが互いに当接することにより、座の起立状態を保持している。
【０００３】
実公平６−８７４９号公報に開示されている座の起立回転装置では、座に設けた係止片と、脚フレームに設けた板ばね部材とが互いに当接することにより、座の起立状態を保持している。
【０００４】
実公平５−３０８４号公報に開示されている座の起立回転装置では、座とブラケット内に収められた２つの捻りコイルばねのつり合いによって、座の起立状態を保持している。
【０００５】
【発明が解決しようとする課題】
しかし、これらの座の起立回転装置は、次のような問題を有している。
いずれも、弾性体やばねの弾力によって起立位置が決まるため、椅子を長期間使用すると、座を所定の角度に起立させることができず、その角度が椅子毎によって異なり、椅子の配列状態の見栄えが悪くなる。
【０００６】
椅子の前方を通り易くするため、座の起立位置を後方へ倒し過ぎた位置に設定すると、着座するとき、座に手を掛けて座を手前側に倒そうとしても、手を掛けにくくなる。特に、手に物を持っているとき等、上体の自由度が制限されているときは、手を掛けにくくなる。
逆に、座に手を掛け易くするため、座の起立位置を前方に設定すると、座を起こしたときの椅子の前方の空間が狭くなり、通路としてのスペースが狭く、人が通りにくくなる。
【０００７】
本発明は、上記の問題点に鑑み、椅子を長期間使用しても、座の起立位置を一定に保つことができ、しかも、その起立位置を、手を掛け易い位置と、その位置より後傾させて、椅子の前方を人が通り易くする位置との２段階の位置をとることができるようにした座の回転装置を提供することを目的とする。
【０００８】
【課題を解決するための手段】
本発明によると、上記課題は、次のようにして解決される。
(１) 座に形成した孔を貫通する座支持軸を左右１対の脚に水平に支持し、前記座を起立力付与弾性体によって着座位置から自動起立位置に自動的に起立させる椅子の座の起立回転装置において、前記孔を前記座が前記着座位置にあるとき長径が上下方向を向く長孔とし、かつ前記座と前記脚との間に、前記座と当接することにより、前記座を前記着座位置と前記自動起立位置とに位置決めするストッパー機構を設けるとともに、前記座に前記座支持軸を押圧して前記長孔の上縁を前記座支持軸に圧接させる軸押圧弾性体を設け、着座している人が前記座を立ったとき、前記軸押圧弾性体によって前記長孔の上縁を前記座支持軸に圧接させたまま、前記起立力付与弾性体によって前記座を起立させ、前記ストッパー機構によって前記自動起立位置に位置決めし、前記座が前記自動起立位置よりさらに後方に押圧されたとき、前記ストッパー機構を支点にして前記座支持軸が前記長孔内を移動することにより、完全起立位置への後傾を許容する。
【０００９】
(２) 上記(１)項において、起立力付与弾性体が、座支持軸に遊嵌したコイルばねであり、該コイルばねの一端が座支持軸に固着され、他端が座に起立させる方向に弾圧している。
【００１０】
(３) 上記(１)項または(２)項において、軸押圧弾性体が、片持ち梁状の板ばねである。
【００１１】
(４) 上記(１)〜(３)項のいずれかにおいて、座が、下側に起立力付与弾性体と軸押圧弾性体とを収容する凹部を有し、該凹部が、長孔を有する板状の座支持体によって塞がれている。
【００１２】
【発明の実施の形態】
以下、本発明の実施の形態を、図１〜図９に基づいて説明する。
着座位置は、図１において１点鎖線で図示する位置、自動起立位置は、２点鎖線で図示する位置、完全起立位置は実線で図示する位置である。
【００１３】
図１〜図４に示すように、椅子(１)の座(２)の起立回転装置(３)は、座(２)に設けた斜めの長孔(４)に装着したカラー(19)へ貫挿した座支持軸(５)を、左右１対の脚(６)に水平に支持させ、起立力付与弾性体であるコイルばね(７)によって、座(２)を着座位置から自動起立位置と、完全起立位置との２段階の起立位置に起こすことができる装置である。
【００１４】
次に、座(２)の起立回転装置(３)の構成を説明する。
座支持軸(５)は、脚(６)のＵ字状の受け部(８)に支持され、かつボルト(９)により受け部(８)の内壁(8a)に押圧されて、脚(６)に固定されている。
【００１５】
コイルばね(７)は、座支持軸(５)に遊嵌され、その一端(7a)は、座支持軸(５)の鍔(10)に係合し、他端(7b)は、座(２)に設けられた長方体の受け片(11)に受け止められている。
コイルばね(７)は、一端(7a)を鍔(10)の２つの孔(10a)(10b)に選択的に挿入することにより、その弾力を調整することができる。
【００１６】
長孔(４)は、座(２)の左右両側に設けられた板状の座支持体(12)と、座(２)とに形成され、座(２)が着座位置にあるとき、すなわち、座(２)が水平位置にあるときは、長径が上下方向を向くようになっている。
【００１７】
座(２)は、座支持軸(５)に装着されたカラー(19)を介して、長孔(４)の上縁(4a)に接触することによって支持されている。この接触状態を保持するため、座(２)には、軸押圧弾性体である板ばね(13)が設けられている。この板ばね(13)は、座(２)に片持ち梁状に固定され、遊端部(13a)は座支持軸(５)を上方へ(図４では、下方)押圧している。
【００１８】
図４に示すように、座(２)と脚(６)との対向面における座支持体(12)に、ストッパーピン(14)が脚側に向けて突設されている。図５及び図６に示すように、脚(６)には、ストッパーピン(14)を受け止める上下１対のストッパー受け部(15)(16)が形成されている。このストッパーピン(14)とストッパー受け部(15)(16)は、ストッパー機構(17)を構成し、座(２)を着座位置と、自動起立位置とに位置決めする。
【００１９】
図４に示すように、コイルばね(７)、受け片(11)、板ばね(13)等は、座(２)の下部の角に形成された凹部(18)に収容され、座支持体(12)によってその凹部(18)が蓋をされているため、座(２)の外部に出ているのは、ストッパー機構(17)と座支持軸(５)の端部(5a)だけになり、椅子(１)を屋外に設置しても、露出する部分が少なく、耐蝕性が向上し、椅子(１)を長期間使用することができる。
【００２０】
次に、座(２)の起立回転装置(３)の動作を説明する。
座(２)に人が着座しているとき、図５に示すように、座(２)は、長孔(４)の上縁(4a)にカラー(19)を介して座支持軸(５)が当接し、かつストッパーピン(14)が上側のストッパー受け部(15)に当接することによって、やや前上がり状態の着座位置に保持される。
【００２１】
着座している人が座(２)を立つと、図６に示すように、座(２)は、コイルばね(７)によって自動的に起立させられ、ストッパーピン(14)が下側のストッパー受け部(16)に当接することによって、自動起立位置に保持される。この時、座支持軸(５)は板ばね(13)によって長孔(４)の上縁(4a)に対して圧接された状態で保持される。
自動起立位置に保持された座(２)は、手を掛けやすく、前方に倒し易い。
【００２２】
座(２)が、自動起立位置よりさらに後方に押圧されると、図８に示すように、座(２)は、下側のストッパー受け部(16)に当接したストッパーピン(14)を支点にして、板ばね(13)に抗し、かつ長孔(４)と座支持軸(５)との案内によって後傾し、長孔(４)の下縁(4b)が、座支持軸(５)に対してカラー(19)を介して当接し、完全起立位置となる。
完全起立位置に保持された座(２)は、前方の椅子との間の間隔を広げて、人を通り易くする。
また、完全起立位置に保持された座(２)は、長孔(４)の案内によって、下部が下がりながら前方に移動するため、後方の椅子との間隔を広げて、椅子の後を人が通り易くする。
【００２３】
以上説明した座の起立回転装置は、座の片側に設けられているが、両側に設けてもよい。
【００２４】
【発明の効果】
請求項１の発明によると、座を、座に手を掛けて座を前方に倒し易い自動起立位置と、人が通り易い完全起立位置とに選択的に保持することができるため、使用しない椅子を、そのときの状況に合わせた状態とすることができる。
【００２５】
また、ストッパー機構によって、座の自動起立位置が決まるため、椅子を長期間使用しても、起立状態の座を揃えることができ、座の配列状態の見栄えをよくすることができる。
【００２６】
完全起立位置に起立した座は、長孔の下縁が座支持軸に当接するため、完全起立位置よりさらに後傾させる無理な力を受けても、その力を受け止めることができる。したがって、椅子の損傷を防止することができる。
【００２７】
完全起立位置に保持された座は、長孔の案内によって、後部が下がりながら前方に移動するため、後方の椅子との間隔を広げて、椅子の後側のスペースを拡大することができる。
【００２８】
請求項２のように、起立力付与弾性体が、座支持軸に遊嵌したコイルばねであると、座に起立回転力を容易に加えることができ、座を自動起立位置に確実に起立させることができる。
【００２９】
請求項３のように、軸押圧弾性体が、片持ち梁状の板ばねであると、座支持軸に線接触する長さが長くなり、長孔の上縁を座支持軸に確実に圧接させることができる。
【００３０】
請求項４のように、座の下側に、起立力付与弾性体と軸押圧弾性体とを収容する凹部を形成し、その凹部を長孔を有する板状の座支持体によって塞ぐと、椅子の外部に露出する部品が少なく、椅子を屋外に設置しても外部へ露出する部分が少なく、耐久性が向上し椅子を長期間使用することができる。
【図面の簡単な説明】
【図１】本発明の実施形態の起立回転装置を備える椅子の右側面図である。
【図２】座の右側面断面図である。
【図３】座の下面図である。
【図４】座の起立回転装置の分解斜視図である。
【図５】座を着座位置に保持した状態の起立回転装置の右側面図である。
【図６】座を自動起立位置に保持した状態の起立回転装置の右側面図である。
【図７】図５における、VII−VII矢視図である。
【図８】座を完全起立位置に保持した状態の起立回転装置の右側面図である。
【図９】図８における、IX−IX矢視図である。
【符号の説明】
(１)椅子
(２)座
(３)起立回転装置
(４)長孔
(4a)上縁
(4b)下縁
(５)座支持軸
(5a)端部
(６)脚
(７)コイルばね（起立力付与弾性体）
(7a)一端
(7b)他端
(８)受け部
(8a)内壁
(９)ボルト
(10)鍔
(10a)孔
(10b)孔
(11)受け片
(12)座支持体
(13)板ばね（軸押圧弾性体）
(13a)遊端部
(14)ストッパーピン
(15)ストッパー受け部
(16)ストッパー受け部
(17)ストッパー機構
(18)凹部
(19)カラー
【図１】
0003653655.tif 000002
【図２】
0003653655.tif 000003
【図３】
0003653655.tif 000004
【図４】
0003653655.tif 000005
【図５】
0003653655.tif 000006
【図６】
0003653655.tif 000007
【図７】
0003653655.tif 000008
【図８】
0003653655.tif 000009
【図９】
0003653655.tif 000010